(57)【特許請求の範囲】
【請求項１】
売上金を収納する金庫と、
該金庫が着脱可能に装着される金庫装着部と、
該金庫装着部を開閉する金庫扉と、
釣銭を保管する釣銭保管庫と、
該釣銭保管庫を開閉する保管庫扉と、
該保管庫扉に係合することで該保管庫扉を閉状態でロックするロック片と、
該ロック片と一体的に設けられてその一端片が前記金庫装着部内に突出するように配置され、該金庫装着部内で操作されることにより前記ロック片と前記保管庫扉との係合を解除する解除操作片と、
前記保管庫扉に配置され、別体の所定のキーによって解除操作されることで前記ロック片と前記保管庫扉との係合を解除する鍵片とを備えたことを特徴とする売上金入金機。
【請求項２】
前記ロック片は、閉状態の前記保管庫扉に対して直交する方向に沿うとともに、内側に回動中心が設けられ、回動することによって外側の爪部において前記保管庫扉に対し係合および係合解除されるものであり、
前記鍵片は、回動して前記ロック片の前記爪部を押圧することで、該爪部と前記保管庫扉との係合を解除することを特徴とする請求項１記載の売上金入金機。
【請求項３】
前記ロック片は、閉状態の前記保管庫扉に対して直交する方向に沿うとともに、内側に回動中心が設けられ、回動することによって外側の爪部において前記保管庫扉に対し係合および係合解除されるものであり、
前記解除操作片は、前記ロック片の前記回動中心と前記爪部との間から延出することを特徴とする請求項１または２記載の売上金入金機。
【請求項４】
操作入力がなされる操作部と、
前記金庫扉を閉状態でロックする電磁ロック手段と、
前記金庫扉の開閉状態を検出する金庫扉開閉検出手段と、
前記保管庫扉の開閉状態を検出する保管庫扉開閉検出手段と、
前記操作部への金庫交換釣銭受渡処理開始操作の入力で、今回の金庫交換釣銭受渡処理の開始を判断して前記電磁ロック手段による前記金庫扉のロックを解除する一方、該ロックの解除後、前記金庫扉開閉検出手段による前記金庫扉の閉から開への切り替え有りの検出、前記保管庫扉開閉検出手段による前記保管庫扉の閉から開への切り替え有りの検出がこの順に行われ、その後、前記保管庫扉開閉検出手段による前記保管庫扉の開から閉への切り替え有りの検出および前記金庫扉開閉検出手段による前記金庫扉の開から閉への切り替え有りの検出が行われたことを条件に、前記今回の金庫交換釣銭受渡処理の終了を判断して金庫交換釣銭受渡処理終了信号を出力する制御手段と、
を有することを特徴とする請求項１乃至３のいずれか一項記載の売上金入金機。
【請求項５】
前記キーの解除操作を検出するキー解除操作検出手段を有し、
前記制御手段は、前記操作部への前記金庫交換釣銭受渡処理開始操作の入力時に、前回の前記金庫交換釣銭受渡処理の終了後に前記キー解除操作検出手段により前記キーの解除操作が検出されたか否かを判定し、該解除操作が検出されたことを条件に前記電磁ロック手段による前記金庫扉のロックを解除することを特徴とする請求項４記載の売上金入金機。
【請求項６】
前記キーの解除操作を検出するキー解除操作検出手段を有し、
前記制御手段は、前記キー解除操作検出手段により前記キーの解除操作が検出されると、今回の釣銭取出処理の開始を判断する一方、その後、前記保管庫扉開閉検出手段による前記保管庫扉の閉から開への切り替え有りの検出、前記保管庫扉開閉検出手段による前記保管庫扉の開から閉への切り替え有りの検出がこの順に行われたことを条件に、前記今回の釣銭取出処理の終了を判断して釣銭取出処理終了信号を出力することを特徴とする請求項４または５記載の売上金入金機。
【請求項７】
前記制御手段は、前記操作部への金庫交換単独処理開始操作の入力で、今回の金庫交換単独処理の開始を判断して前記電磁ロック手段による前記金庫扉のロックを解除する一方、該ロックの解除後、前記金庫扉開閉検出手段による前記金庫扉の閉から開への切り替え有りの検出、前記金庫扉開閉検出手段による前記金庫扉の開から閉への切り替え有りの検出がこの順に行われたことを条件に、前記今回の金庫交換単独処理の終了を判断して金庫交換単独処理終了信号を出力する一方、該金庫交換単独処理の最中に、前記保管庫扉開閉検出手段による前記保管庫扉の閉から開への切り替え有りの検出が行われると、異常を判断して異常信号を出力することを特徴とする請求項４乃至６のいずれか一項記載の売上金入金機。
【請求項８】
前記釣銭保管庫に、物品の有無を検出する有無センサが設けられていることを特徴とする請求項１乃至７のいずれか一項記載の売上金入金機。
【発明の詳細な説明】
【技術分野】
【０００１】
本発明は、売上金入金機に関する。
【背景技術】
【０００２】
百貨店やショッピングセンタ、コンビニエンスストア等の店舗において、定期的に売上金を、管理室に設けられた売上金入金機に入金して管理することが行われている。このような売上金入金機に入金された現金は、売上金入金機内の金庫に収納されることになり、後に、警送担当者によって回収されることになる。つまり、警送担当者は、空の金庫を持参して売上金入金機内の現金が収納された金庫と交換し、この現金が収納された金庫を管理センタ等に運搬する。ところで、警送担当者は、上記のような売上金の回収に合わせて管理センタから予め準備された釣銭を持参し、このような釣銭を例えば管理室の別途の金庫に収納することがある。このような運用を行う場合に、釣銭の受け渡しについても売上金入金機を用いて行う技術がある（例えば、特許文献１参照）。
【０００３】
この技術では、管理センタから持参する空のカセットに釣銭を収納しておき、このカセットを売上金入金機に装填して、このカセットから売上金入金機内に設けられた保管庫に売上金入金機内で釣銭を受け渡すようになっている。
【特許文献１】特開２００５−２７６０８２号公報
【発明の開示】
【発明が解決しようとする課題】
【０００４】
上記の売上金入金機は、警送担当者が釣銭に触れることがないため保安上良好であるが、装置構成が複雑になり、高価な構成になってしまう。このため、例えば保安上の問題は釣銭を収納する収納具によって解決し、売上金入金機には、釣銭保管庫としての機能のみを付加して低コスト化を図ることを考えた。しかしながら、売上金入金機に単に釣銭保管庫としての機能を負荷すると、やはり、その分のコスト増は避けられず、コスト抑制のためのさらなる改善が必要であった。例えば、警送担当者は保安上作業を手早く行う必要があることから、持参した別体のキーで釣銭保管庫を開けるような運用は困難であり、よって、暗証番号の入力等でロックを解除できる高価な電磁ロックを釣銭保管庫専用に追加することが必要になるが、このような高価な部品の追加は極力回避したい。
【０００５】
したがって、本発明は、釣銭保管機能を付加してもコスト増を抑制することができる売上金入金機の提供を目的とする。
【課題を解決するための手段】
【０００６】
上記目的を達成するために、請求項１に係る発明は、売上金を収納する金庫と、該金庫が着脱可能に装着される金庫装着部と、該金庫装着部を開閉する金庫扉と、釣銭を保管する釣銭保管庫と、該釣銭保管庫を開閉する保管庫扉と、該保管庫扉に係合することで該保管庫扉を閉状態でロックするロック片と、該ロック片と一体的に設けられてその一端片が前記金庫装着部内に突出するように配置され、該金庫装着部内で操作されることにより前記ロック片と前記保管庫扉との係合を解除する解除操作片と、前記保管庫扉に配置され、別体の所定のキーによって解除操作されることで前記ロック片と前記保管庫扉との係合を解除する鍵片とを備えたことを特徴としている。
【０００７】
請求項２に係る発明は、請求項１に係る発明において、前記ロック片は、閉状態の前記保管庫扉に対して直交する方向に沿うとともに、内側に回動中心が設けられ、回動することによって外側の爪部において前記保管庫扉に対し係合および係合解除されるものであり、前記鍵片は、回動して前記ロック片の前記爪部を押圧することで、該爪部と前記保管庫扉との係合を解除することを特徴としている。
【０００８】
請求項３に係る発明は、請求項１または２に係る発明において、前記ロック片は、閉状態の前記保管庫扉に対して直交する方向に沿うとともに、内側に回動中心が設けられ、回動することによって外側の爪部において前記保管庫扉に対し係合および係合解除されるものであり、前記解除操作片は、前記ロック片の前記回動中心と前記爪部との間から延出することを特徴としている。
【０００９】
請求項４に係る発明は、請求項１乃至３のいずれか一項に係る発明において、操作入力がなされる操作部と、前記金庫扉を閉状態でロックする電磁ロック手段と、前記金庫扉の開閉状態を検出する金庫扉開閉検出手段と、前記保管庫扉の開閉状態を検出する保管庫扉開閉検出手段と、前記操作部への金庫交換釣銭受渡処理開始操作の入力で、今回の金庫交換釣銭受渡処理の開始を判断して前記電磁ロック手段による前記金庫扉のロックを解除する一方、該ロックの解除後、前記金庫扉開閉検出手段による前記金庫扉の閉から開への切り替え有りの検出、前記保管庫扉開閉検出手段による前記保管庫扉の閉から開への切り替え有りの検出がこの順に行われ、その後、前記保管庫扉開閉検出手段による前記保管庫扉の開から閉への切り替え有りの検出および前記金庫扉開閉検出手段による前記金庫扉の開から閉への切り替え有りの検出が行われたことを条件に、前記今回の金庫交換釣銭受渡処理の終了を判断して金庫交換釣銭受渡処理終了信号を出力する制御手段と、を有することを特徴としている。
【００１０】
請求項５に係る発明は、請求項４に係る発明において、前記キーの解除操作を検出するキー解除操作検出手段を有し、前記制御手段は、前記操作部への前記金庫交換釣銭受渡処理開始操作の入力時に、前回の前記金庫交換釣銭受渡処理の終了後に前記キー解除操作検出手段により前記キーの解除操作が検出されたか否かを判定し、該解除操作が検出されたことを条件に前記電磁ロック手段による前記金庫扉のロックを解除することを特徴としている。
【００１１】
請求項６に係る発明は、請求項４または５に係る発明において、前記キーの解除操作を検出するキー解除操作検出手段を有し、前記制御手段は、前記キー解除操作検出手段により前記キーの解除操作が検出されると、今回の釣銭取出処理の開始を判断する一方、その後、前記保管庫扉開閉検出手段による前記保管庫扉の閉から開への切り替え有りの検出、前記保管庫扉開閉検出手段による前記保管庫扉の開から閉への切り替え有りの検出がこの順に行われたことを条件に、前記今回の釣銭取出処理の終了を判断して釣銭取出処理終了信号を出力することを特徴としている。
【００１２】
請求項７に係る発明は、請求項４乃至６のいずれか一項に係る発明において、前記制御手段は、前記操作部への金庫交換単独処理開始操作の入力で、今回の金庫交換単独処理の開始を判断して前記電磁ロック手段による前記金庫扉のロックを解除する一方、該ロックの解除後、前記金庫扉開閉検出手段による前記金庫扉の閉から開への切り替え有りの検出、前記金庫扉開閉検出手段による前記金庫扉の開から閉への切り替え有りの検出がこの順に行われたことを条件に、前記今回の金庫交換単独処理の終了を判断して金庫交換単独処理終了信号を出力する一方、該金庫交換単独処理の最中に、前記保管庫扉開閉検出手段による前記保管庫扉の閉から開への切り替え有りの検出が行われると、異常を判断して異常信号を出力することを特徴としている。
【００１３】
請求項８に係る発明は、請求項１乃至７のいずれか一項に係る発明において、前記釣銭保管庫に、物品の有無を検出する有無センサが設けられていることを特徴としている。
【発明の効果】
【００１４】
請求項１に係る発明によれば、売上金回収時に、金庫扉があけられて、金庫装着部に対し、売上金を収納した金庫が取り出され、代わりに空の金庫が装着されることになるが、金庫扉が開けられると、金庫装着部内に突出するように配置された解除操作片が操作可能となり、この解除操作片が操作されるとロック片と保管庫扉との係合が解除されることになる。これにより、保管庫扉が開放可能となって、釣銭保管庫内に釣銭が投入可能となる。よって、保管庫扉専用の電磁ロック手段が不要となる。したがって、釣銭保管機能を付加してもコスト増を抑制することができる。また、保管庫扉には、別体の所定のキーによって解除操作されることでロック片と保管庫扉との係合を解除する鍵片が設けられているため、保管庫扉に投入された釣銭の保管および取り出しの管理を保安上問題なく行うことができる。
【００１５】
請求項２に係る発明によれば、閉状態の保管庫扉に対して直交する方向に沿うとともに、内側に回動中心が設けられ、回動することによって外側の爪部において保管庫扉に対し係合および係合解除されるロック片に対して、鍵片は回動中心から離れた爪部を押圧するため、キーによる爪部と保管庫扉との係合の解除力を小さくすることができて操作性を向上させることができる。
【００１６】
請求項３に係る発明によれば、閉状態の保管庫扉に対して直交する方向に沿うとともに、内側に回動中心が設けられ、回動することによって外側の爪部において保管庫扉に対し係合および係合解除されるロック片の、回動中心と爪部との間から解除操作片が延出するため、回動中心と解除操作片との距離を確保できてロック片の操作力を低減でき、その上で、解除操作片を保管庫扉に対し干渉を防止しつつ近づけることができて操作性を向上させることができる。
【００１７】
請求項４に係る発明によれば、制御手段は、操作部への金庫交換釣銭受渡処理開始操作の入力があると、今回の金庫交換釣銭受渡処理の開始を判断して電磁ロック手段による金庫扉のロックを解除することになり、これにより、金庫扉が開放されて金庫が交換されるとともに、保管庫扉が開放されて、釣銭が投入されることになる。このとき、適正な手順で作業が行われれば、まず金庫扉の閉から開への切り替え有りが金庫扉開閉検出手段により検出され、次に保管庫扉の閉から開への切り替え有りが保管庫扉開閉検出手段により検出されることになり、その後、保管庫扉開閉検出手段による保管庫扉の開から閉への切り替え有りの検出および金庫扉開閉検出手段による金庫扉の開から閉への切り替え有りの検出が行われることになる。よって、適正に作業が行われて、これらの検出が行われれば、制御手段は、今回の金庫交換釣銭受渡処理の終了を判断して金庫交換釣銭受渡処理終了信号を出力する。そして、この金庫交換釣銭受渡処理終了信号を受けて、例えば、管理レシートを発行したり、管理センタ側で作業終了を判断したりできる。
【００１８】
請求項５に係る発明によれば、制御手段は、操作部への金庫交換釣銭受渡処理開始操作の入力時に、前回の金庫交換釣銭受渡処理の終了後にキー解除操作検出手段によりキーの解除操作が検出されたか否か、つまり前回投入された釣銭が取り出されているか否かを判定し、この解除操作が検出されたこと、つまり前回投入された釣銭が取り出されていることを条件に電磁ロック手段による金庫扉のロックを解除するため、前回投入された釣銭が取り出されている場合に、次の金庫交換釣銭受渡処理が可能となる。
【００１９】
請求項６に係る発明によれば、別体の所定のキーによって解除操作されることで鍵片がロック片と保管庫扉との係合を解除することになり、これにより、保管庫扉が開放されて、釣銭が取り出されることになる。このとき、適正な手順で作業が行われれば、保管庫扉開閉検出手段による保管庫扉の閉から開への切り替え有りの検出、保管庫扉開閉検出手段による保管庫扉の開から閉への切り替え有りの検出がこの順に行われることになる。よって、制御手段は、キー解除操作検出手段により上記したキーの解除操作が検出されて今回の釣銭取出処理の開始を判断すると、適正に作業が行われて、上記の切り替え有りの検出が行われれば、今回の釣銭取出処理の終了を判断して釣銭取出処理終了信号を出力する。すると、この釣銭取出処理終了信号を受けて、例えば管理センタ側で釣銭取出処理作業終了を判断したりできる。
【００２０】
請求項７に係る発明によれば、制御手段は、例えば釣銭投入を伴わない金庫交換時等に、操作部への金庫交換単独処理開始操作の入力があると、今回の金庫交換単独処理の開始を判断して電磁ロック手段による金庫扉のロックを解除することになり、これにより、金庫扉が開放されて金庫が交換されることになる。このとき、適正な手順で作業が行われれば、まず金庫扉開閉検出手段による金庫扉の閉から開への切り替え有りの検出、金庫扉開閉検出手段による金庫扉の開から閉への切り替え有りの検出がこの順に行われることになる。よって、適正に作業が行われて、これらの検出が行われれば、制御手段は、今回の金庫交換単独処理の終了を判断して金庫交換単独処理終了信号を出力する。すると、この金庫交換単独処理終了信号を受けて、例えば管理レシートを発行したり、管理センタ側で作業終了を判断したりできる。他方、上記した金庫交換単独処理の最中に、保管庫扉開閉検出手段による保管庫扉の閉から開への切り替え有りの検出が行われると、制御手段は、異常を判断して異常信号を出力する。すると、この異常信号を受けて例えばアラームを発生させること等が可能になる。
【００２１】
請求項８に係る発明によれば、物品の有無を検出する有無センサが設けられているため、例えば有無センサにより物品が有ることを検出することによって釣銭の投入を検出できる。したがって、釣銭の投入等を確実に判断できる。
【発明を実施するための最良の形態】
【００２２】
本発明の一実施形態の売上金入金機を図面を参照して以下に説明する。
【００２３】
本実施形態の売上金入金機１１は、百貨店やショッピングセンタ、コンビニエンスストア等の店舗の管理室に設置されて売上金が入金されるもので、図１および図２に概略的に構成を示すように、紙幣について入金処理を行う図１に示す紙幣入金処理部１２と、硬貨について入金処理を行う図２に示す硬貨入金処理部１３とが左右に並設されている。また、売上金入金機１１には、操作者に対し表示を行うとともに操作者により操作入力が行われる表示操作部（操作部）１４と、紙面に印字するプリンタ部１５と、図示略の管理センタとでデータ通信を行う通信部１６と、全体を制御する制御部（制御手段）１７とが設けられている。
【００２４】
図１に示すように、紙幣入金処理部１２は、機外からバラ紙幣が投入される紙幣入金部２１と、この紙幣入金部２１に投入されたバラ紙幣を一枚ずつ繰り出して搬送する紙幣搬送部２２と、この紙幣搬送部２２で搬送中の紙幣を識別する紙幣識別部２３と、この紙幣識別部２３の識別結果に基づいて紙幣搬送部２２の紙幣を二方向に振り分ける紙幣振分部２４と、紙幣識別部２３の識別結果から正常な紙幣と判定されて紙幣振分部２４で一方に振り分けられた紙幣を一時貯留させる紙幣一時貯留部２５と、紙幣識別部２３の識別結果から正常でない紙幣と判定されて紙幣振分部２４で他方に振り分けられた紙幣を機外に排出させる紙幣リジェクト部２６と、紙幣一時貯留部２５に一時貯留させた売上金の紙幣を表示操作部１４への入金確定操作後に収納する紙幣収納金庫（金庫）２７とを有している。ここで、紙幣一時貯留部２５は、機体本体３０に対し引出可能に設けられており、一時貯留させた紙幣を返却する際に引き出される。
【００２５】
図２に示すように、硬貨入金処理部１３は、機外からバラ硬貨が投入される硬貨入金部３１と、この硬貨入金部３１に投入されたバラ硬貨を一枚ずつ繰り出して搬送する硬貨搬送部３２と、この硬貨搬送部３２で搬送中の硬貨を識別する硬貨識別部３３と、この硬貨識別部３３の識別結果に基づいて硬貨搬送部３２の硬貨を二方向に振り分ける硬貨振分部３４と、硬貨識別部３３の識別結果から正常な硬貨と判定されて硬貨振分部３４で一方に振り分けられた硬貨を一時貯留させる硬貨一時貯留部３５と、硬貨識別部３３の識別結果から正常でない硬貨と判定されて硬貨振分部３４で他方に振り分けられた硬貨を機外に排出させる硬貨リジェクト部３６と、硬貨一時貯留部３５に一時貯留させた売上金の硬貨を表示操作部１４への入金確定操作後に収納する硬貨収納金庫（金庫）３７とを有している。ここで、硬貨一時貯留部３５も、機体本体３０に対し引出可能に設けられており、一時貯留させた硬貨を返却する際に引き出される。
【００２６】
そして、紙幣収納金庫２７および硬貨収納金庫３７は、機体本体３０の下部に設けられた金庫装着部５１に着脱可能に装着されており、この金庫装着部５１の前面側は、金庫装着部５１を開閉する金庫扉５２となっている。つまり、金庫装着部５１は、前面側に開口部５３を有しこの開口部５３を介して紙幣収納金庫２７および硬貨収納金庫３７が着脱される装着部本体５４と、この装着部本体５４の開口部５３の左右方向一側を中心に鉛直軸回りに回動することで開口部５３を開閉する金庫扉５２とを有している。
【００２７】
さらに、金庫装着部５１は、金庫扉５２を閉状態でロックするとともに制御部１７からの駆動信号でロックが解除される電磁ロック機構（電磁ロック手段）５７が設けられている。この電磁ロック機構５７は、制御部１７からの駆動信号でロックが解除されると金庫扉５２を開放可能とする一方、開状態の金庫扉５２が閉じられると自動的に金庫扉５２を閉状態でロックする。金庫装着部５１には、金庫扉５２の開閉状態を検出して制御部１７に信号を出力する金庫扉センサ（金庫扉開閉検出手段）５８が設けられている。
【００２８】
また、機体本体３０の下部の金庫装着部５１よりも下側には、釣銭を保管する釣銭保管庫６１が設けられている。この釣銭保管庫６１の前面側は、釣銭保管庫６１を開閉する保管庫扉６２となっている。つまり、釣銭保管庫６１は、前面側に開口部６３を有しこの開口部６３を介して釣銭が投入および取り出される保管庫本体６４と、この保管庫本体６４の開口部６３の左右方向一側を中心に鉛直軸回りに回動することで開口部６３を開閉する保管庫扉６２とで構成されている。釣銭保管庫６１には、保管庫扉６２の開閉状態を検出して制御部１７に信号を出力する保管庫扉センサ（保管庫扉開閉検出手段）６５が設けられている。なお、釣銭は、専用の収納具である釣銭バッグ６７に収納された状態で釣銭保管庫６１に収容されることになる。
【００２９】
図３に示すように、保管庫扉６２には、機体本体３０の前面を構成する前板部６８に対して平行をなして内側に係合部材６９が固定されており、保管庫本体６４には、係合部材６９に係合することで保管庫扉６２を閉状態でロックするロック部材７１が左右方向に沿う回動軸７２を中心に回動可能に設けられている。
【００３０】
ロック部材７１は、閉状態の保管庫扉６２に対して直交する方向に沿い、内側がその回動中心となる上記回動軸７２に支持され、外側に下方向に突出する爪部７３が形成されたロック片７４を有している。ロック片７４は、回動軸７２側が幅広の幅広部７５とされ、爪部７３側が幅広部７５と上縁を連続させる幅狭の幅狭部７６とされており、この幅狭部７６の幅広部７５とは反対に幅狭部７６よりも下方に突出するように爪部７３が形成されている。爪部７３の下面は、回動軸７２側ほど下側に位置するように傾斜する傾斜面７７とされている。
【００３１】
そして、ロック部材７１は、閉状態の保管庫扉６２に対して幅狭部７６が直交する姿勢で、爪部７３が係合部材６９の前位置において係合部材６９の係合縁部８０よりも下側に位置することになり、これにより、ロック片７４において係合部材６９の係合縁部８０に係合して保管庫扉６２を閉状態でロックする。
【００３２】
また、ロック部材７１は、保管庫扉６２が開状態から閉じられると、ロック片７４の傾斜面７７に保管庫扉６２の係合部材６９が係合縁部８０において乗り上げることになり、これにより、回動して係合縁部８０の通過を許容し、係合縁部８０が爪部７３を超えるとロック部材７１は、自重により爪部７３を下降させて、爪部７３を係合縁部８０に係合させる。つまり、ロック部材７１は、保管庫扉６２が開状態から閉状態とされると自動的に保管庫扉６２を閉状態でロックする。
【００３３】
ロック部材７１は、ロック片７４と一体的に設けられてロック片７４の回動中心である回動軸７２と爪部７３との間から上方に延出する解除操作片８１を有している。ここで、金庫装着部５１の装着部本体５４の底面を構成し、釣銭保管庫６１の保管庫本体６４の天井面を構成する水平延在する仕切板８２には、その金庫扉５２側に上下に貫通する貫通溝８３が前後方向に延在形成されており、解除操作片８１は、その上端片（一端片）８４が、この貫通溝８３を介して金庫装着部５１内の、装着された図１および図２に示す紙幣収納金庫２７および硬貨収納金庫３７よりも開口部５３側に突出するように配置されている。ロック片７４が保管庫扉６２に係合した状態において、解除操作片８１は、ロック片７４から鉛直上方に延びて金庫装着部５１内に突出している。
【００３４】
ここで、ロック部材７１は、解除操作片８１が鉛直上方に延び且つ閉状態の保管庫扉６２に対してロック片７４が直交する姿勢で、解除操作片８１が貫通溝８３の前端部に当接するようになっており、これにより、それ以上の解除操作片８１の前方の回動つまりロック片７４の下方への回動を規制するようになっている。また、ロック部材７１は、解除操作片８１を貫通溝８３の前端部に当接させる方向に自重により常に回動付勢されている。
【００３５】
そして、ロック部材７１は、解除操作片８１の金庫装着部５１内に突出する上端片８４が金庫装着部５１内で奥方に押圧操作されると、ロック片７４を回動軸７２を中心に一体に回動させて、ロック片７４の爪部７３を上昇させ、ロック片７４と保管庫扉６２との係合を解除する。
【００３６】
保管庫扉６２には、別体の所定のキー８７によって操作されるキーシリンダ８８が配置されている。このキーシリンダ８８には、図４に示すように、半径方向に突出する鍵片８９および検出片９０を有する回動部材９１が設けられており、対応するキー８７が挿入された状態でのみ回動部材９１がキー８７と一体に回動可能になる。
【００３７】
この回動部材９１は、キー８７が抜かれた位相状態では、鍵片８９がロック片７４の爪部７３の下側にあって爪部７３から離間しており、キー８７が挿入されて回動つまり解除操作されると、キー８７と一体に回動して鍵片８９がロック片７４の爪部７３に下側から当接してこれを上側に押圧することになり、爪部７３を上昇させるようにロック部材７１を回動させて、爪部７３と係合部材６９との係合を解除する。これにより、保管庫扉６２が開放可能となる。なお、キー８７は、鍵片８９がロック片７４から下方に離れる状態でのみ引き抜き可能となっている。キーシリンダ８８には、回動部材９１の検出片９０を検出することでキー８７の上記解除操作を検出する解除操作センサ（キー解除操作検出手段）９４が設けられている。
【００３８】
図１および図２に示すように、釣銭保管庫６１の保管庫本体６４の底部には、載置される物品の有無および重量を検出する重量センサ（有無センサ）９５が設けられている。
【００３９】
次に、売上金入金機１１の作動について説明する。
硬貨入金部３１に硬貨が紙幣入金部２１に紙幣が投入された状態で表示操作部１４にスタート操作が入力されると、硬貨入金部３１に投入された硬貨を硬貨識別部３３で識別し識別結果から正常と判定された硬貨のみを硬貨一時貯留部３５に一時貯留させる一方で偽、汚損および識別不能と判別された硬貨は硬貨リジェクト部３６にリジェクトさせ、同様に紙幣入金部２１に投入された紙幣を紙幣識別部２３で識別し識別結果から正常と判定された紙幣のみを紙幣一時貯留部２５に一時貯留させる一方で偽、汚損および識別不能と判別された紙幣は紙幣リジェクト部２６にリジェクトさせる。
【００４０】
そして、識別結果に基づいて、総額、金種別金額等を表示操作部１４に表示させて操作者に確認を行い、操作者により表示操作部１４への確定操作の入力があると、硬貨一時貯留部３５の硬貨を金庫装着部５１内に装填された硬貨収納金庫３７に受け渡して収納させるとともに、紙幣一時貯留部２５の紙幣を金庫装着部５１内に装填された紙幣収納金庫２７に受け渡して収納させるとともに、識別結果に基づく総額、金種別金額等を記憶する。
【００４１】
一方、識別結果に基づく表示から、操作者により表示操作部１４へのキャンセル操作の入力があると、硬貨一時貯留部３５および紙幣一時貯留部２５が引き出し可能となり、これらが引き出されて硬貨および紙幣が操作者により取り出される。このとき、識別結果に基づく総額、金種別金額等は記憶しない。
【００４２】
以上のようにして売上金入金機１１には適宜売上金が入金される。
【００４３】
次に、上記した売上金入金機１１における、金庫交換と釣銭受け渡しと一度に行う通常の金庫交換釣銭受渡処理と、金庫交換のみを行う金庫交換単独処理との二つの金庫交換処理について、制御部１７の制御を、図５および図６に示すフローチャートを参照しつつ、警送担当者が行う処理とともに説明する。
【００４４】
店舗側では、定期的に上記のように売上金入金機１１に売上金が入金されることになり、このように売上金入金機１１に入金された売上金を定期的に警送会社の警送担当者が回収する。警送担当者は、管理センタから空の紙幣収納金庫２７、空の硬貨収納金庫３７および準備された釣銭が収納された釣銭バッグ６７を売上金入金機１１の場所まで運搬する。
【００４５】
そして、警送担当者は、売上金入金機１１に対して金庫交換等の処理を行う権限があることを売上金入金機１１に対して認識させるために、表示操作部１４に対して例えば予め定められた暗証番号、警送担当者の識別番号等の入力を行ってログインする。制御部１７は、図５に示すように、表示操作部１４に対して適正な暗証番号、識別番号等の入力が操作入力されてログインが許可されると（ステップＳＡ１：Ｙｅｓ）、まず、釣銭残存フラグがＯＦＦであるか否かを判定する（ステップＳＡ２）。この釣銭残存フラグは、金庫交換釣銭受渡処理の終了時にＯＮされ、後述する釣銭取出処理の終了時にＯＦＦされる。釣銭残存フラグがＯＦＦの場合（ステップＳＡ２：Ｙｅｓ）には、釣銭取出処理が行われて現時点では釣銭保管庫６１から釣銭が取り出されているため、警送担当者による、例えば通常の金庫交換釣銭受渡処理を開始する所定操作の入力を受け付ける。このように、金庫交換釣銭受渡処理開始の操作入力がなされると（ステップＳＡ３：Ｙｅｓ）、制御部１７は、今回の金庫交換釣銭受渡処理の開始を判断して（ステップＳＡ４）、金庫交換釣銭受渡処理開始信号を出力する（ステップＳＡ５）。
【００４６】
この金庫交換釣銭受渡処理開始信号を受けてプリンタ部１５が、金庫交換釣銭受渡処理開始信号に含まれる情報の中から、例えば、店舗識別情報、回収日時、今回の金庫交換釣銭受渡処理で回収される売上金の回収金種および回収金額等のデータと回収開始情報とをシートに印刷した管理レシートを発行する。あるいは、この金庫交換釣銭受渡処理開始信号を受けて通信部１６が、例えば、店舗識別情報、回収日時、今回の金庫交換釣銭受渡処理で回収される売上金の回収金種および回収金額等のデータと回収開始情報とを管理センタあるいは警送担当者の所有するハンディターミナルに送信する。
【００４７】
金庫交換釣銭受渡処理開始信号を出力後、制御部１７は、電磁ロック機構５７による金庫扉５２のロックを解除する（ステップＳＡ６）。すると、金庫装着部５１の金庫扉５２が開放可能となるため、警送担当者は金庫扉５２を開ける。
【００４８】
なお、表示操作部１４に適正な暗証番号や識別番号が入力されずログイン不可の場合（ステップＳＡ１：Ｎｏ）について、制御部１７は、異常と判断してこの異常内容を記憶するとともに、その旨を示す異常信号を出力する（ステップＳＡ７）。これにより、表示操作部１４が暗証番号や識別番号が適正でない旨のエラー表示を行う。
【００４９】
また、釣銭残存フラグがＯＮの場合（ステップＳＡ２：Ｎｏ）には、必要な釣銭取出処理が行われず、現時点で釣銭保管庫６１から釣銭が取り出されていないため、制御部１７は、異常と判断してこの異常内容を記憶するとともに、その旨を示す異常信号を出力する（ステップＳＡ８）。これにより、表示操作部１４が釣銭を取り出していない旨のエラー表示を行う。つまり、制御部１７は、表示操作部１４への金庫交換処理開始操作の入力時に、前回の金庫交換処理の終了後に解除操作センサ９４により検出片９０つまりキー８７の解除操作が検出されたか否かを判定し、解除操作が検出されたことを条件に電磁ロック機構５７による金庫扉５２のロックを解除する。
【００５０】
一方、制御部１７は、電磁ロック機構５７による金庫扉５２のロック解除（ステップＳＡ６）の後、金庫扉センサ５８によって金庫扉５２の閉から開への切り替えの有無を監視しており（ステップＳＡ９）、上記のように、警送担当者が金庫扉５２を開けると、金庫扉センサ５８によって金庫扉５２の閉から開への切り替え有りを検出する（ステップＳＡ９：Ｙｅｓ）。
【００５１】
金庫扉５２が開放された状態で、警送担当者は、例えば、金庫装着部５１に装着されていた紙幣収納金庫２７および硬貨収納金庫３７を外に取り出し、これらの代わりに空の紙幣収納金庫２７および硬貨収納金庫３７を金庫装着部５１に装着する。金庫扉５２を開放した後であって、紙幣収納金庫２７および硬貨収納金庫３７の交換の前あるいは後に、警送担当者は、金庫扉５２が開放された状態にある金庫装着部５１内に突出するロック部材７１の解除操作片８１の上端片８４を金庫装着部５１内で奥方に押圧操作して、ロック部材７１を回動軸７２を中心に回動させて、ロック片７４の爪部７３を上昇させ、ロック片７４と保管庫扉６２との係合を解除して、保管庫扉６２を開ける。警送担当者は、その後、金庫扉５２を閉じる前あるいは後に、保管庫扉６２を開けた状態の釣銭保管庫６１から、内部の空の釣銭バッグ６７を取り出し、釣銭を収納した持参の釣銭バッグ６７を投入する。
【００５２】
これに対して、制御部１７は、上記した金庫扉センサ５８による金庫扉５２の閉から開への切り替え有りの検出（ステップＳＡ９）の後、保管庫扉センサ６５によって保管庫扉６２の閉から開への切り替えの有無を監視しており（ステップＳＡ１０）、上記のように保管庫扉６２が開けられると、保管庫扉センサ６５によって保管庫扉６２の閉から開への切り替え有りを検出する（ステップＳＡ１０：Ｙｅｓ）。
【００５３】
警送担当者は、最終的に、保管庫扉６２および金庫扉５２の両方を閉じることになる。一方、制御部１７は、上記のように、金庫扉センサ５８による金庫扉５２の閉から開への切り替え有りの検出、保管庫扉センサ６５による保管庫扉６２の閉から開への切り替え有りの検出がこの順に行われると（ステップＳＡ９：Ｙｅｓ、ステップＳＡ１０：Ｙｅｓ）、金庫扉センサ５８によって金庫扉５２の開から閉への切り替えの有無を監視するとともに、保管庫扉センサ６５によって保管庫扉６２の開から閉への切り替えの有無を監視する（ステップＳＡ１１〜ＳＡ１４）。
【００５４】
そして、保管庫扉６２および金庫扉５２が閉じられると、制御部１７は、金庫扉センサ５８によって金庫扉５２の開から閉への切り替え有りを検出し（ステップＳＡ１１：Ｙｅｓ）、その後、保管庫扉センサ６５によって保管庫扉６２の開から閉への切り替え有りを検出する（ステップＳＡ１２：Ｙｅｓ）。あるいは、金庫扉センサ５８によって金庫扉５２の開から閉への切り替え有りを検出しない状態で（ステップＳＡ１１：Ｎｏ）、保管庫扉センサ６５によって保管庫扉６２の開から閉への切り替え有りを検出し（ステップＳＡ１３：Ｙｅｓ）、その後、金庫扉センサ５８によって金庫扉５２の開から閉への切り替えを検出する（ステップＳＡ１４：Ｙｅｓ）。
【００５５】
そして、上記のように、金庫扉センサ５８による金庫扉５２の開から閉への切り替え有りの検出および保管庫扉センサ６５による保管庫扉６２の開から閉への切り替え有りの検出が行われたことを条件に、制御部１７は、重量センサ９５によって検出される釣銭保管庫６１に収納された物品の重量が、釣銭入りの釣銭バッグ６７が収納されていると判定できる所定値以上であるか否かを判断する（ステップＳＡ１５）。そして、所定値以上の重量を検出することで、釣銭入りの釣銭バッグ６７が収納されていると判断すると（ステップＳＡ１５：Ｙｅｓ）、今回の金庫交換釣銭受渡処理の終了を判断して（ステップＳＡ１６）、釣銭残存フラグをＯＮし（ステップＳＡ１７）、金庫交換釣銭受渡処理終了の旨を示す金庫交換釣銭受渡処理終了信号を出力する（ステップＳＡ１８）。
【００５６】
この金庫交換釣銭受渡処理終了信号を受けてプリンタ部１５が、金庫交換釣銭受渡処理終了信号に含まれる情報の中から、例えば、店舗識別情報、回収日時、今回の金庫交換釣銭受渡処理で回収された売上金の回収金種および回収金額等のデータと回収終了情報とをシートに印刷した管理レシートを発行する。あるいは、この金庫交換釣銭受渡処理終了信号を受けて通信部１６が、例えば、店舗識別情報、回収日時、今回の金庫交換釣銭受渡処理で回収された売上金の回収金種および回収金額等のデータと回収終了情報とを管理センタあるいは警送担当者の所有するハンディターミナルに送信する。なお、所定値以上の重量を検出していない場合（ステップＳＡ１５：Ｎｏ）について、制御部１７は、異常であると判断してこの異常内容を記憶するとともに、その旨を示す異常信号を出力する（ステップＳＡ１９）。これにより、表示操作部１４が釣銭バッグ６７の収納忘れの旨のエラー表示を行う。
【００５７】
上記したステップＳＡ１０において、保管庫扉センサ６５によって保管庫扉６２の閉から開への切り替え有りを検出していない場合（ステップＳＡ１０：Ｎｏ）、金庫扉センサ５８によって金庫扉５２の開から閉への切り替えられたか否かを判断し（ステップＳＡ２０）、金庫扉センサ５８による金庫扉５２の開から閉への切り替え有りが検出されると（ステップＳＡ２０：Ｙｅｓ）と、金庫交換釣銭受渡処理であるにも拘わらず、保管庫扉６２が開かれることなく金庫扉５２が閉じられてしまったことになるため、異常と判断してこの異常内容を記憶するとともに、その旨を示す異常信号を出力する（ステップＳＡ２１）。これにより、表示操作部１４が釣銭の収納を忘れた旨のエラー表示を行う。
【００５８】
また、ステップＳＡ３において、金庫交換釣銭受渡処理開始の操作入力ではなく、金庫交換単独処理開始の操作入力がなされると（ステップＳＡ３：Ｎｏ）、制御部１７は、図６に示すように、今回の金庫交換単独処理の開始を判断して（ステップＳＡ２２）、金庫交換単独処理開始信号を出力する（ステップＳＡ２３）。
【００５９】
この金庫交換単独処理開始信号を受けてプリンタ部１５が、金庫交換単独処理開始信号に含まれる情報の中から、例えば、店舗識別情報、回収日時、今回の金庫交換単独処理で回収される売上金の回収金種および回収金額等のデータと回収開始情報とをシートに印刷した管理レシートを発行する。あるいは、この金庫交換単独処理開始信号を受けて通信部１６が、例えば、店舗識別情報、回収日時、今回の金庫交換単独処理で回収される売上金の回収金種および回収金額等のデータと回収開始情報とを管理センタあるいは警送担当者の所有するハンディターミナルに送信する。
【００６０】
金庫交換単独処理開始信号を出力後、制御部１７は、電磁ロック機構５７による金庫扉５２のロックを解除する（ステップＳＡ２４）。すると、金庫装着部５１の金庫扉５２が開放可能となるため、警送担当者は金庫扉５２を開ける。
【００６１】
一方、制御部１７は、電磁ロック機構５７による金庫扉５２のロック解除（ステップＳＡ２４）の後、金庫扉センサ５８によって金庫扉５２の閉から開への切り替えの有無を監視しており（ステップＳＡ２５）、上記のように、警送担当者が金庫扉５２を開けると、金庫扉センサ５８によって金庫扉５２の閉から開への切り替え有りを検出する（ステップＳＡ２５：Ｙｅｓ）。
【００６２】
金庫扉５２が開放された状態で、警送担当者は、例えば、金庫装着部５１に装着されていた紙幣収納金庫２７および硬貨収納金庫３７を外に取り出し、これらの代わりに空の紙幣収納金庫２７および硬貨収納金庫３７を金庫装着部５１に装着して、金庫扉５２を閉じることになる。
【００６３】
これに対して、制御部１７は、上記した金庫扉センサ５８によって金庫扉５２の閉から開への切り替え有りの検出（ステップＳＡ２５）の後、金庫扉センサ５８によって金庫扉５２の開から閉への切り替えの有無を監視しており（ステップＳＡ２６）、上記のように金庫扉５２が閉じられると、金庫扉センサ５８によって金庫扉５２の開から閉への切り替え有りを検出する（ステップＳＡ２６：Ｙｅｓ）。
【００６４】
そして、上記のように、金庫扉センサ５８による金庫扉５２の閉から開への切り替え有りの検出の後に、金庫扉センサ５８による金庫扉５２の開から閉への切り替え有りの検出が行われたことを条件に、制御部１７は、今回の金庫交換単独処理の終了を判断して（ステップＳＡ２７）、その旨を示す金庫交換単独処理終了信号を出力する（ステップＳＡ２８）。
【００６５】
この金庫交換単独処理終了信号を受けてプリンタ部１５が、金庫交換単独処理終了信号に含まれる情報の中から、例えば、店舗識別情報、回収日時、今回の金庫交換単独処理で回収された売上金の回収金種および回収金額等のデータと回収終了情報とをシートに印刷した管理レシートを発行する。あるいは、この金庫交換単独処理終了信号を受けて通信部１６が、例えば、店舗識別情報、回収日時、今回の金庫交換単独処理で回収された売上金の回収金種および回収金額等のデータと回収終了情報とを管理センタあるいは警送担当者の所有するハンディターミナルに送信する。
【００６６】
他方、上記したステップＳＡ２６において、金庫交換単独処理の最中に、金庫扉センサ５８によって金庫扉５２の開から閉への切り替え有りを検出していない場合（ステップＳＡ２６：Ｎｏ）、保管庫扉センサ６５によって保管庫扉６２の閉から開への切り替えの有無を監視しており（ステップＳＡ２９）、保管庫扉センサ６５による保管庫扉６２の閉から開への切り替え有りの検出があると（ステップＳＡ２９：Ｙｅｓ）と、金庫交換単独処理であるにも拘わらず、保管庫扉６２が開かれてしまったことになるため、異常と判断してこの異常内容を記憶するとともに、その旨を示す異常信号を出力する（ステップＳＡ３０）。これにより、表示操作部１４が、不要に保管庫扉６２が開かれた旨を示すエラー表示を行う。
【００６７】
次に、上記した売上金入金機１１の釣銭取出処理について、制御部１７の制御を、図７に示すフローチャートを参照しつつ、店舗側の取出担当者が行う処理とともに説明する。
【００６８】
店舗側の取出担当者は、売上金入金機１１に保管された釣銭を定期的に取り出す。つまり、取出担当者が、専用のキー８７を売上金入金機１１の保管庫扉６２に設けられたキーシリンダ８８に差して回すと、キー８７と一体的に回動部材９１が回動し、その鍵片８９がロック部材７１のロック片７４の爪部７３を上側に押し上げる。これによりロック片７４による保管庫扉６２の係合部材６９の係合縁部８０への係合が解除され、よって保管庫扉６２が開放可能となる。すると、取出担当者は、保管庫扉６２を開いて、釣銭保管庫６１から釣銭バッグ６７を取り出し、釣銭バッグ６７から釣銭を取り出して、空となった釣銭バッグ６７を再び釣銭保管庫６１に入れて保管庫扉６２を閉じて、キー８７を戻して引き抜くことになる。
【００６９】
上記のようにキー８７を回動させるとキーシリンダ８８に設けられた解除操作センサ９４が検出片９０を検出してキー８７の解除操作有りを検出することになり、制御部１７は、このキー８７の解除操作有りを検出すると（ステップＳＢ１：Ｙｅｓ）、今回の釣銭取出処理の開始を判断して（ステップＳＢ２）、その後、保管庫扉センサ６５による保管庫扉６２の閉から開への切り替え検出の有無を監視する（ステップＳＢ３）。保管庫扉センサ６５により保管庫扉６２の閉から開への切り替え検出有りを検出すると（ステップＳＢ３：Ｙｅｓ）、保管庫扉センサ６５による保管庫扉６２の開から閉への切り替え検出の有無を監視する（ステップＳＢ４）。保管庫扉センサ６５により保管庫扉６２の開から閉への切り替え検出有りを検出すると（ステップＳＢ４：Ｙｅｓ）、制御部１７は、重量センサ９５によって検出される釣銭保管庫６１に収納された物品の重量が、空の釣銭バッグ６７が収納されていると判定できる所定範囲内にあるか否かを判断する（ステップＳＢ５）。そして、所定範囲内の重量を検出することで、空の釣銭バッグ６７が収納されていると判断すると（ステップＳＢ５：Ｙｅｓ）、今回の釣銭取出処理の終了を判断して（ステップＳＢ６）、釣銭残存フラグをＯＦＦし（ステップＳＢ７）、今回の釣銭取出処理終了の旨を示す釣銭取出処理終了信号を出力する（ステップＳＢ８）。
【００７０】
この釣銭取出処理終了信号を受けて通信部１６が、釣銭取出処理が終了したことを示す信号を管理センタに送信する。なお、所定範囲内の重量を検出していない場合（ステップＳＢ５：Ｎｏ）について、制御部１７は、異常であると判断してこの異常内容を記憶するとともに、その旨を示す異常信号を出力する（ステップＳＢ９）。これにより、表示操作部１４が釣銭取出処理の異常（釣銭取り出し忘れ、空の釣銭バッグ６７の収納忘れ）の旨のエラー表示を行う。
【００７１】
以上に述べた本実施形態の売上金入金機１１によれば、売上金回収時に、金庫扉５２があけられて、金庫装着部５１に対し、売上金を収納した硬貨収納金庫３７および紙幣収納金庫２７が取り出され、代わりに空の硬貨収納金庫３７および紙幣収納金庫２７が装着されることになるが、金庫扉５２が開けられると、金庫装着部５１内に突出するように配置されたロック部材７１の解除操作片８１が操作可能となり、この解除操作片８１が操作されるとロック片７４と保管庫扉６２との係合が解除されることになる。これにより、保管庫扉６２が開放されて、釣銭保管庫６１内に釣銭が投入可能となる。よって、保管庫扉６２専用の電磁ロック手段が不要となる。したがって、釣銭保管機能を付加してもコスト増を抑制することができる。また、保管庫扉６２には、別体の所定のキー８７によって解除操作されることでロック片７４と保管庫扉６２との係合を解除する鍵片８９が設けられているため、保管庫扉６２に投入された釣銭の保管および取り出しの管理を保安上問題なく行うことができる。
【００７２】
また、閉状態の保管庫扉６２に対して直交する方向に沿うとともに、内側に回動中心である回動軸７２が設けられ、回動することによって外側の爪部７３において保管庫扉６２に対し係合および係合解除されるロック片７４に対して、鍵片８９は回動軸７２から離れた爪部７３を押圧するため、キー８７による爪部７３と保管庫扉６２との係合の解除力を小さくすることができて操作性を向上させることができる。
【００７３】
また、閉状態の保管庫扉６２に対して直交する方向に沿うとともに、内側に回動中心である回動軸７２が設けられ、回動することによって外側の爪部７３において保管庫扉６２に対し係合および係合解除されるロック片７４の、回動軸７２と爪部７３との間から解除操作片８１が延出するため、回動軸７２と解除操作片８１との距離を確保できてロック片７４の操作力を低減でき、その上で、解除操作片８１を保管庫扉６２に対し干渉を防止しつつ近づけることができて操作性を向上させることができる。
【００７４】
また、制御部１７は、表示操作部１４への金庫交換釣銭受渡処理開始操作の入力があると、今回の金庫交換釣銭受渡処理の開始を判断して電磁ロック機構５７による金庫扉５２のロックを解除することになり、これにより、金庫扉５２が開放されて紙幣収納金庫２７および硬貨収納金庫３７が交換されるとともに、保管庫扉６２が開放されて、釣銭入りの釣銭バッグ６７が投入されることになる。このとき、適正な手順で作業が行われれば、まず金庫扉５２の閉から開への切り替え有りが金庫扉センサ５８により検出され、次に保管庫扉６２の閉から開への切り替え有りが保管庫扉センサ６５により検出されることになり、その後、保管庫扉センサ６５による保管庫扉６２の開から閉への切り替え有りの検出および金庫扉センサ５８による金庫扉５２の開から閉への切り替え有りの検出が行われることになる。よって、適正に作業が行われて、これらの検出が行われれば、制御部１７は、今回の金庫交換釣銭受渡処理の終了を判断して金庫交換釣銭受渡処理終了信号を出力する。すると、この金庫交換釣銭受渡処理終了信号を受けて、例えば管理レシートを発行したり、管理センタ側で作業終了を判断したりできる。他方、金庫交換釣銭受渡処理中、上記とは検出の順序が異なる場合、つまり、金庫扉センサ５８によって金庫扉５２の閉から開への切り替え有りが検出された後、保管庫扉センサ６５によって保管庫扉６２の閉から開への切り替え有りを検出していない状態で、金庫扉センサ５８によって金庫扉５２の開から閉への切り替え有りが検出されると、金庫交換釣銭受渡処理であるにも拘わらず、保管庫扉６２が開かれることなく金庫扉５２が閉じられてしまったこと、つまり釣銭の受け渡しが行われなかったことを検出でき、金庫交換釣銭受渡処理終了信号の出力を規制しつつ、異常を報知することができる。
【００７５】
また、制御部１７は、表示操作部１４への金庫交換釣銭受渡処理開始操作の入力時に、前回の金庫交換釣銭受渡処理の終了後に解除操作センサ９４によりキー８７の解除操作が検出されたか否か、つまり前回投入された釣銭が取り出されているか否かを判定し、この解除操作が検出されたこと、つまり前回投入された釣銭が取り出されていることを条件に電磁ロック機構５７による金庫扉５２のロックを解除する。このため、前回投入された釣銭が取り出されている場合に、次の金庫交換釣銭受渡処理が可能となり、前回投入された釣銭が取り出されていない場合は、電磁ロック機構５７による金庫扉５２のロック解除を規制しつつ、異常を報知することができる。
【００７６】
また、別体の所定のキー８７によって解除操作されることで鍵片８９がロック片７４と保管庫扉６２との係合を解除することになり、これにより、保管庫扉６２が開放されて、釣銭が取り出されることになる。このとき、適正な手順で作業が行われれば、保管庫扉センサ６５による保管庫扉６２の閉から開への切り替え有りの検出、保管庫扉センサ６５による保管庫扉６２の開から閉への切り替え有りの検出がこの順に行われることになる。よって、制御部１７は、解除操作センサ９４により上記したキー８７の解除操作が検出されて今回の釣銭取出処理の開始を判断すると、適正に作業が行われて、上記の切り替え有りの検出が行われれば、今回の釣銭取出処理の終了を判断して釣銭取出処理終了信号を出力する。すると、この釣銭取出処理終了信号を受けて、例えば管理センタ側で釣銭取出処理作業終了を判断したりできる。
【００７７】
また、制御部１７は、例えば釣銭投入を伴わない金庫交換時等に、表示操作部１４への金庫交換単独処理開始操作の入力があると、今回の金庫交換単独処理の開始を判断して電磁ロック機構５７による金庫扉５２のロックを解除する。これにより、金庫扉５２が開放されて金庫が交換されることになる。このとき、適正な手順で作業が行われれば、金庫扉センサ５８による金庫扉５２の閉から開への切り替え有りの検出、金庫扉センサ５８による金庫扉５２の開から閉への切り替え有りの検出が、この順に行われることになる。よって、適正に作業が行われて、これらの検出が行われれば、制御部１７は、今回の金庫交換単独処理の終了を判断して金庫交換単独処理終了信号を出力する。すると、この金庫交換単独処理終了信号を受けて、管理レシートを発行したり、管理センタ側で作業終了を判断したりできる。他方、金庫扉センサ５８による金庫扉５２の閉から開への切り替え有りの検出の後、金庫扉センサ５８による金庫扉５２の開から閉への切り替え有りの検出の前に、保管庫扉センサ６５による保管庫扉６２の閉から開への切り替え有りの検出が行われると、制御部１７は、金庫交換単独処理終了信号の出力を規制しつつ、異常を判断して異常信号を出力する。すると、この異常信号を受けて例えばアラームを発生させること等が可能になる。
【００７８】
また、物品の有無および重量を検出する重量センサ９５が設けられているため、例えば重量センサ９５により物品が有ることを検出することで釣銭バッグ６７の投入を確実に検出できる。したがって、釣銭入りの釣銭バッグ６７および空の釣銭バッグ６７の投入等を確実に判断できる。
【図面の簡単な説明】
【００７９】
【図１】本発明の一実施形態の売上金入金機の左右方向一側を示す概略構成図である。
【図２】本発明の一実施形態の売上金入金機の左右方向逆側を示す概略構成図である。
【図３】本発明の一実施形態の売上金入金機の要部を示す断面図であって、（ａ）はロック部材のロック状態を、（ｂ）はロック部材のロック解除状態を示すものである。
【図４】本発明の一実施形態の売上金入金機のロック部材、係合部材、キーシリンダおよびキーの関係を示す斜視図である。
【図５】本発明の一実施形態の売上金入金機における金庫交換処理時の制御内容の一部を示すフローチャートである。
【図６】本発明の一実施形態の売上金入金機における金庫交換処理時の制御内容の残りの一部を示すフローチャートである。
【図７】本発明の一実施形態の売上金入金機における釣銭取出処理時の制御内容を示すフローチャートである。
【符号の説明】
【００８０】
１１  売上金入金機
１４  表示操作部（操作部）
１７  制御部（制御手段）
２７  紙幣収納金庫（金庫）
３７  硬貨収納金庫（金庫）
５１  金庫装着部
５２  金庫扉
５７  電磁ロック機構（電磁ロック手段）
５８  金庫扉センサ（金庫扉開閉検出手段）
６１  釣銭保管庫
６２  保管庫扉
６５  保管庫扉センサ（保管庫扉開閉検出手段）
７２  回動軸（回動中心）
７３  爪部
７４  ロック片
８１  解除操作片
８４  上端片（一端片）
８７  キー
８９  鍵片
９４  解除操作センサ（キー解除操作検出手段）
９５  有無センサ
【図１】
0005055091.tif 000002
【図２】
0005055091.tif 000003
【図３】
0005055091.tif 000004
【図４】
0005055091.tif 000005
【図５】
0005055091.tif 000006
【図６】
0005055091.tif 000007
【図７】
0005055091.tif 000008